(57)【要約】【課題】  設置部材から抜け難いケーブルクリップを提供する。【解決手段】  光ファイバケーブル４１を固定するケーブルクリップＣであって、壁３１の設置面３１ｆに接触した状態で、設置面３１ｆで一面が閉塞されることによって光ファイバケーブル４１を収容する貫通収容部を形成する貫通収容凹部１２を備えた基台部１１で構成され、貫通収容凹部１２に、光ファイバケーブル４１を設置面３１ｆへ押す複数の半円柱状突条１３を設け、基台部１１の貫通収容凹部１２を挟む両側に、ピン２１の軸部２２が貫通するピン貫通孔１５Ａ，１５Ｂを設ける。【選択図】    図１０
2006217691.tif 000002
【特許請求の範囲】
【請求項１】
配線ケーブルを固定するケーブルクリップであって、
設置部材の設置面に接触した状態で、前記設置面で一面が閉塞されることによって前記配線ケーブルを収容する貫通収容部を形成する貫通収容凹部を備えた基台部で構成され、
前記貫通収容凹部に、前記配線ケーブルを前記設置面へ押す複数の押圧突出部を設け、
前記基台部の前記貫通収容凹部を挟む両側に、ピンの軸部が貫通するピン貫通孔を設けた、
ことを特徴とするケーブルクリップ。
【請求項２】
請求項１に記載のケーブルクリップにおいて、
前記押圧突出部は、前記配線ケーブルの軸と交差する半円柱状突条である、
ことを特徴とするケーブルクリップ。
【請求項３】
請求項１に記載のケーブルクリップにおいて、
前記押圧突出部は、半球状突起である、
ことを特徴とするケーブルクリップ。
【請求項４】
請求項１に記載のケーブルクリップにおいて、
前記ピン貫通孔は、前記ピンの軸部を圧入させるピン圧入貫通孔である、
ことを特徴とするケーブルクリップ。
【請求項５】
請求項１に記載のケーブルクリップにおいて、
前記貫通収容凹部を挟んだ前記ピン貫通孔は、不平行である、
ことを特徴とするケーブルクリップ。
【請求項６】
請求項１に記載のケーブルクリップにおいて、
前記貫通収容凹部を挟んだ前記ピン貫通孔は、一方が前記設置面に対して垂直で、他方が前記一方のピン貫通孔に対して前記設置面側へ窄んでいる、
ことを特徴とするケーブルクリップ。
【請求項７】
請求項１に記載のケーブルクリップにおいて、
前記基台部に、前記ピンの頭部を収容する頭部収容凹部を設けた、
ことを特徴とするケーブルクリップ。
【発明の詳細な説明】
【技術分野】
【０００１】
この発明は、信号ケーブルまたは電力ケーブルなどの配線ケーブルを、天井、壁、床などの設置部材の設置面に接触させて固定するためのケーブルクリップに関するものである。
【背景技術】
【０００２】
従来、配線ケーブルを固定するものとして、配線ケーブルを引っ掛ける引掛部を下側に備えた本体を、壁などの設置部材に釘や木ねじで取り付けて固定する掛止具が提案されている。
なお、設置部材に本体を取り付ける釘などは、設置面側へ窄む状態とされている。
【特許文献１】実公昭５８−５１８１６号公報
【特許文献２】実公昭６０−８７７９号公報
【０００３】
また、配線ケーブルを収容するための保持凹部が設けられ、壁などの設置部材にＵ字形釘で取り付けられて固定される保持部材に、配線ケーブルおよび保持凹部の上面を覆う押さえ蓋部を、ヒンジを介して一体に設けた配線保持具が提案されている。
【特許文献３】特開２００３−２７０４５１号公報
【発明の開示】
【発明が解決しようとする課題】
【０００４】
上記した掛止具または配線保持具は、配線ケーブルを設置部材の設置面から浮いた状態（配線ケーブルと設置面との間に間隔を有した状態）で引っ掛けたり、挟持して固定するので、配線ケーブルにものが引っ掛かり易かった。
このように、配線ケーブルにものが引っ掛かると、設置部材から引き抜く力が掛止具または配線保持具に作用するので、掛止具または配線保持具は設置部材から抜け易かった。
【０００５】
この発明は、上記したような不都合を解消するためになされたもので、設置部材から抜け難いケーブルクリップを提供するものである。
【課題を解決するための手段】
【０００６】
この発明は、以下のような発明である。
（１）配線ケーブルを固定するケーブルクリップであって、設置部材の設置面に接触した状態で、前記設置面で一面が閉塞されることによって前記配線ケーブルを収容する貫通収容部を形成する貫通収容凹部を備えた基台部で構成され、前記貫通収容凹部に、前記配線ケーブルを前記設置面へ押す複数の押圧突出部を設け、前記基台部の前記貫通収容凹部を挟む両側に、ピンの軸部が貫通するピン貫通孔を設けたことを特徴とする。
（２）（１）に記載のケーブルクリップにおいて、前記押圧突出部は、前記配線ケーブルの軸と交差する半円柱状突条であることを特徴とする。
（３）（１）に記載のケーブルクリップにおいて、前記押圧突出部は、半球状突起であることを特徴とする。
（４）（１）に記載のケーブルクリップにおいて、前記ピン貫通孔は、前記ピンの軸部を圧入させるピン圧入貫通孔であることを特徴とする。
（５）（１）に記載のケーブルクリップにおいて、前記貫通収容凹部を挟んだ前記ピン貫通孔は、不平行であることを特徴とする。
（６）（１）に記載のケーブルクリップにおいて、前記貫通収容凹部を挟んだ前記ピン貫通孔は、一方が前記設置面に対して垂直で、他方が前記一方のピン貫通孔に対して前記設置面側へ窄んでいることを特徴とする。
（７）（１）に記載のケーブルクリップにおいて、前記基台部に、前記ピンの頭部を収容する頭部収容凹部を設けたことを特徴とする。
【発明の効果】
【０００７】
この発明によれば、設置面で一面が閉塞されることによって配線ケーブルを収容する貫通収容部を形成する貫通収容凹部を基台部に設け、貫通収容凹部に、配線ケーブルを設置面へ押す複数の押圧突出部を設けたので、設置面と配線ケーブルとの間に隙間ができなくなることにより、配線ケーブルにものを引っ掛けることがなくなるとともに、ケーブルクリップに設置面から浮き上がらせる力を極力作用させなくすることができ、ケーブルクリップを設置部材から抜け難くすることができる。
そして、複数の押圧突出部を、配線ケーブルの軸と交差する半円柱状突条、または、半球状突起にしたので、配線ケーブルの被覆部に傷が付かなくなるとともに、配線ケーブルの軸方向（長手方向）への移動を防止（阻止）することができる。
また、ピン貫通孔を、ピンの軸部を圧入させるピン圧入貫通孔にしたので、ピンをピン圧入貫通孔へ落ちないようにセットできることにより、設置部材へのケーブルクリップの取付作業を作業性よく行うことができる。
また、貫通収容凹部を挟んだピン貫通孔を、不平行にしたので、基台部に設置面から浮き上がらせる力が作用しても、基台部が設置面から浮き難くなり、ケーブルクリップを設置部材からさらに抜け難くすることができる。
また、貫通収容凹部を挟んだピン貫通孔は、一方が設置面に対して垂直で、他方が一方のピン貫通孔に対して設置面側へ窄んでいるので、設置面に対して垂直なピン貫通孔のピンの軸部を設置部材へ圧入させてケーブルクリップを仮止めすることにより、ケーブルクリップの仮止め位置とケーブルクリップの本固定位置とを一致させることができ、イメージ通りの位置にケーブルクリップを取り付けることができる。
また、基台部に、ピンの頭部を収容する頭部収容凹部を設けたので、ピンの頭部を基台部から突出しないよう頭部収容凹部内へ収容させることができ、安全性を確保できるとともに、ものがピンに引っ掛からなくなる。
【発明を実施するための最良の形態】
【０００８】
以下、この発明の実施例を図に基づいて説明する。
【０００９】
図１はこの発明の第１実施例であるケーブルクリップにピンを装着した状態の斜視図、図２は図１に示したケーブルクリップの平面図、図３は図１に示したケーブルクリップの正面図、図４は図１に示したケーブルクリップの底面図、図５は図１に示したケーブルクリップの右側面図、図６は図１に示したケーブルクリップの左側面図、図７は図２のＡ−Ａ線による断面図、図８は図２のＢ−Ｂ線による断面図、図９〜図１３はケーブルクリップを利用して光ファイバケーブルを壁に取り付け、固定する説明図である。
なお、図９〜図１２の説明図は、図２のＡ−Ｃ−Ｄ−Ｅ線による断面図に相当する。
また、図１３の説明図は、図２のＦ−Ｆ線による断面図に相当する。
【００１０】
図１または図９において、Ｃはケーブルクリップを示し、合成樹脂製の基台部１１で構成されている。
２１はピンを示し、例えば、金属製で、ケーブルクリップＣを設置部材に取り付け、固定するもので、先端（一端）が尖った軸部２２と、この軸部２２の後端（他端）に設けられた頭部２３とで構成されている。
３１は設置部材としての壁を示し、例えば、石膏ボードで構成され、表面が設置面３１ｆとされている。
４１は配線ケーブルとしての光ファイバケーブルを示し、１本の光ファイバ４２と、この光ファイバ４２を挟むように配置される、例えば、鉄線などで構成され、光ファイバ４２よりも太い２本の保護用ワイヤ４３と、この保護用ワイヤ４３および光ファイバ４２を束ねるとともに保護するために樹脂などを被覆させた被覆部４４とで構成されている。
【００１１】
上記した基台部１１は、直方体形状で、図３および図７に示すように、一面（底面）１１ｂ側に直方体形状の貫通した貫通収容凹部１２が設けられるとともに、一面１１ｂと対向する対向面（上面）１１ｕの左端部分を切り欠くことによって左側へ下降する傾斜面１１ｓとされている。
なお、対向面１１ｕの傾斜面１１ｓよりも右側は、一面１１ｂと平行な面とされている。
そして、貫通収容凹部１２の底には、図４および図１３に示すように、収容する光ファイバケーブル４１の軸（長手方向）と直角に交差し、光ファイバケーブル４１を一面１１ｂ側へ押す押圧突出部としての半円柱状突条１３が、貫通収容凹部１２の両端に位置させて２つ設けられている。
さらに、基台部１１の一面１１ｂの貫通収容凹部１２を挟む両側には、図４および図７に示すように、肉抜き凹部１４Ａ，１４Ｂが設けられている。
そして、基台部１１には、対向面１１ｕから肉抜き凹部１４Ａへ至り、一面１１ｂおよび設置面３１ｆに垂直なピン２１の軸部２２が貫通するピン貫通孔１５Ａと、傾斜面１１ｓから肉抜き凹部１４Ｂへ至り、ピン貫通孔１５Ａと不平行で、ピン貫通孔１５Ａに対して一面１１ｂ側および設置面３１ｆ側へ窄み、ピン２１の軸部２２が貫通するピン貫通孔１５Ｂとが設けられている。
さらに、基台部１１には、ピン貫通孔１５Ａの対向面１１ｕ側に、ピン貫通孔１５Ａに連通させてピン２１の頭部２３を収容する頭部収容凹部１６Ａが設けられ、ピン貫通孔１５Ｂの傾斜面１１ｓ側に、ピン貫通孔１５Ｂに連通させてピン２１の頭部２３を収容する頭部収容凹部１６Ｂが設けられている。
なお、ピン貫通孔１５Ａ，１５Ｂは、ピン２１の軸部２２を圧入させるピン圧入貫通孔とされている。
【００１２】
次に、光ファイバケーブル４１の壁３１への取り付け、固定について説明図する。
まず、図９に示すように、ピン２１の軸部２２の先端が基台部１１の一面（底面）１１ｂから突出しないように、ピン貫通孔１５Ａ，１５Ｂへ各ピン２１の軸部２２を圧入させる。
そして、図９に示すように、壁３１の設置面３１ｆの所望の位置に光ファイバケーブル４１を接触させた後、図１０に示すように、貫通収容凹部１２を光ファイバケーブル４１に対応させ、貫通収容凹部１２に光ファイバケーブル４１を収容させるように基台部１１の一面１１ｂを設置面３１ｆに接触させる。
このように基台部１１の一面１１ｂを設置面３１ｆに接触させると、設置面３１ｆで貫通収容凹部１２の一面が閉塞されることにより、貫通収容凹部１２と設置面３１ｆとによって光ファイバケーブル４１を収容した貫通収容部が形成される。
【００１３】
次に、ピン貫通孔１５Ａに軸部２２を圧入させたピン２１の頭部２３を、所定の治具で少し押し込むことにより、図１１に示すように、軸部２２の先端を壁３１に進入させ、ケーブルクリップＣを仮止め状態にする。
そして、ケーブルクリップＣの取付位置が仮止め状態の位置でよければ、図１２に示すように、頭部２３を頭部収容凹部１６Ａ，１６Ｂに収容させる状態に、ピン貫通孔１５Ａおよびピン貫通孔１５Ｂに位置させたピン２１の頭部２３を所定の治具で押し込み、ケーブルクリップＣを本固定状態にする。
このようにケーブルクリップＣを本固定状態にすると、図１３に示すように、２つの半円柱状突条１３と設置面３１ｆとで、光ファイバケーブル４１を挟持、固定することができる。
なお、ケーブルクリップＣで光ファイバ４１を本固定状態にしても、保護用ワイヤ４３の径が光ファイバ４２の径よりも太く、光ファイバ４２は被覆部４４で覆われているので、光ファイバ４２を破損させることなく固定することができる。
【００１４】
上述したように、この発明の一実施例によれば、壁３１の設置面３１ｆで一面が閉塞されることによって光ファイバケーブル４１を収容する貫通収容部を形成する貫通収容凹部１２を基台部１１に設け、貫通収容凹部１２に、光ファイバケーブル４１を設置面３１ｆへ押す複数の半円柱状突条１３を設けたので、設置面３１ｆと光ファイバケーブル４１との間に隙間ができなくなることにより、光ファイバケーブル４１にものを引っ掛けることがなくなるとともに、ケーブルクリップＣに設置面３１ｆから浮き上がらせる力を極力作用させなくすることができ、ケーブルクリップＣを壁３１から抜け難くすることができる。
そして、複数の押圧突出部を、光ファイバケーブル４１の軸（長手方向）と交差する半円柱状突条１３にしたので、光ファイバケーブル４１の被覆部４４に傷が付かなくなるとともに、光ファイバケーブル４１の軸方向（長手方向）への移動を防止（阻止）することができる。
また、ピン貫通孔１５Ａ，１５Ｂを、ピン２１の軸部２２を圧入させるピン圧入貫通孔にしたので、ピン２１をピン圧入貫通孔へ落ちないようにセットできることにより、壁３１へのケーブルクリップＣの取付作業を作業性よく行うことができる。
また、貫通収容凹部１２を挟んだピン貫通孔１５Ａ，１５Ｂを、不平行にしたので、基台部１１に設置面３１ｆから浮き上がらせる力が作用しても、基台部１１が設置面３１ｆから浮き難くなり、ケーブルクリップＣを壁３１からさらに抜け難くすることができる。
また、貫通収容凹部１２を挟んだピン貫通孔１５Ａ，１５Ｂは、一方のピン貫通孔１５Ａが設置面３１ｆに対して垂直で、他方のピン貫通孔１５Ｂが一方のピン貫通孔１５Ａに対して設置面３１ｆ側へ窄んでいるので、設置面３１ｆに対して垂直なピン貫通孔１５Ａのピン２１の軸部２２を壁３１へ圧入させてケーブルクリップＣを仮止めすることにより、ケーブルクリップＣの仮止め位置とケーブルクリップＣの本固定位置とを一致させることができ、イメージ通りの位置にケーブルクリップＣを取り付けることができる。
また、基台部１１に、ピン２１の頭部２３を収容する頭部収容凹部１６Ａ，１６Ｂを設けたので、ピン２１の頭部２３を基台部１１から突出しないよう頭部収容凹部１６Ａ，１６Ｂ内へ収容させることができ、安全性を確保できるとともに、ものがピン２１に引っ掛からなくなる。
【００１５】
図１４はこの発明の第２実施例であるケーブルクリップの正面図、図１５は図１４に示したケーブルクリップの底面図、図１６は図１５のＧ−Ｇ線による断面図であり、図１〜図１３と同一または相当部分に同一符号を付し、その説明を省略する。
【００１６】
これらの図において、１３Ａは押圧突出部としての半球状突起を示し、光ファイバケーブルなどの配線ケーブルを基台部１１の一面１１ｂ側へ押すものであり、貫通収容凹部１２の底に複数設けられている。
【００１７】
この第２実施例のケーブルクリップＣを利用した光ファイバケーブルなどの配線ケーブルの固定の説明を省略するが、この第２実施例においても、第１実施例と同様な効果を得ることができる。
そして、複数の押圧突出部を半球状突起１３Ａにしたので、光ファイバケーブルなどの配線ケーブルの被覆部に傷が付かなくなるとともに、配線ケーブルの軸方向（長手方向）への移動を防止（阻止）することができる。
【００１８】
図１７はこの発明の第３実施例であるケーブルクリップ断面図であり、図１〜図１６と同一または相当部分に同一符号を付し、その説明を省略する。
【００１９】
この第３実施例におけるピン貫通孔１５Ａ，１５Ｂは、基台部１１の一面１１ｂに対して垂直でなく、かつ、不平行で、一面１１ｂ側へ窄むように設けられている。
【００２０】
この第３実施例のケーブルクリップＣを利用した光ファイバケーブルなどの配線ケーブルの固定の説明を省略するが、この第３実施例においても、第１実施例と同様な効果を得ることができる。
【００２１】
図１８はこの発明の第４実施例であるケーブルクリップ断面図であり、図１〜図１７と同一または相当部分に同一符号を付し、その説明を省略する。
【００２２】
この第４実施例におけるピン貫通孔１５Ａは、基台部１１の一面１１ｂに対して垂直に設けられている。
そして、ピン貫通孔１５Ｂは、ピン貫通孔１５Ａと不平行で、ピン貫通孔１５Ａに対して一面１１ｂ側へ拡開するように設けられている。
【００２３】
この第４実施例のケーブルクリップＣを利用した光ファイバケーブルなどの配線ケーブルの固定の説明を省略するが、この第４実施例においても、第１実施例と同様な効果を得ることができる。
【００２４】
図１９はこの発明の第５実施例であるケーブルクリップ断面図であり、図１〜図１８と同一または相当部分に同一符号を付し、その説明を省略する。
【００２５】
この第５実施例におけるピン貫通孔１５Ａ，１５Ｂは、基台部１１の一面１１ｂに対して垂直でなく、かつ、不平行で、一面１１ｂ側へ拡開するように設けられている。
【００２６】
この第５実施例のケーブルクリップＣを利用した光ファイバケーブルなどの配線ケーブルの固定の説明を省略するが、この第５実施例においても、第１実施例と同様な効果を得ることができる。
【００２７】
上記した実施例では、貫通収容凹部１２を直方体形状とした例を示したが、配線ケーブルの形状により、半円柱形状、半楕柱形状などの形状であってもよい。
そして、ピン貫通孔１５Ａ，１５Ｂが不平行なのを、ケーブルクリップＣを正面側または背面側から見た場合を示したが、右側面側または左側面側、または、他の方向から見た場合に不平行であってもよい。
また、貫通収容凹部１２を挟む両側に設けるピン貫通孔をそれぞれ１つとした例を示したが、貫通収容凹部１２を挟む両側に設ける貫通孔は１つ以上であれば、いくつであってもよく、さらに、貫通収容凹部１２のそれぞれの片側に設ける複数のピン貫通孔は不平行で、一面１１ｂ側へ拡開したり、窄んでいてもよい。
【図面の簡単な説明】
【００２８】
【図１】この発明の第１実施例であるケーブルクリップにピンを装着した状態の斜視図である。
【図２】図１に示したケーブルクリップの平面図である。
【図３】図１に示したケーブルクリップの正面図である。
【図４】図１に示したケーブルクリップの底面図である。
【図５】図１に示したケーブルクリップの右側面図である。
【図６】図１に示したケーブルクリップの左側面図である。
【図７】図２のＡ−Ａ線による断面図である。
【図８】図２のＢ−Ｂ線による断面図である。
【図９】ケーブルクリップを利用して光ファイバケーブルを壁に取り付け、固定する説明図である。
【図１０】ケーブルクリップを利用して光ファイバケーブルを壁に取り付け、固定する説明図である。
【図１１】ケーブルクリップを利用して光ファイバケーブルを壁に取り付け、固定する説明図である。
【図１２】ケーブルクリップを利用して光ファイバケーブルを壁に取り付け、固定する説明図である。
【図１３】ケーブルクリップを利用して光ファイバケーブルを壁に取り付け、固定する説明図である。
【図１４】この発明の第２実施例であるケーブルクリップの正面図である。
【図１５】図１４に示したケーブルクリップの底面図である。
【図１６】図１５のＧ−Ｇ線による断面図である。
【図１７】この発明の第３実施例であるケーブルクリップ断面図である。
【図１８】この発明の第４実施例であるケーブルクリップ断面図である。
【図１９】この発明の第４実施例であるケーブルクリップ断面図である。
【符号の説明】
【００２９】
Ｃ      ケーブルクリップ
１１    基台部
１１ｂ  一面（底面）
１１ｕ  対向面（上面）
１１ｓ  傾斜面
１２    貫通収容凹部
１３    半円柱状突条（押圧突出部）
１３Ａ  半球状突起（押圧突出部）
１４Ａ  肉抜き凹部
１４Ｂ  肉抜き凹部
１５Ａ  ピン貫通孔（ピン圧入貫通孔）
１５Ｂ  ピン貫通孔（ピン圧入貫通孔）
１６Ａ  頭部収容凹部
１６Ｂ  頭部収容凹部
２１    ピン
２２    軸部
２３    頭部
３１    壁（設置部材）
３１ｆ  設置面
４１    光ファイバケーブル（配線ケーブル）
４２    光ファイバ
４３    保護用ワイヤ
４４    被覆部
【図１】
2006217691.tif 000003
【図２】
2006217691.tif 000004
【図３】
2006217691.tif 000005
【図４】
2006217691.tif 000006
【図５】
2006217691.tif 000007
【図６】
2006217691.tif 000008
【図７】
2006217691.tif 000009
【図８】
2006217691.tif 000010
【図９】
2006217691.tif 000011
【図１０】
2006217691.tif 000012
【図１１】
2006217691.tif 000013
【図１２】
2006217691.tif 000014
【図１３】
2006217691.tif 000015
【図１４】
2006217691.tif 000016
【図１５】
2006217691.tif 000017
【図１６】
2006217691.tif 000018
【図１７】
2006217691.tif 000019
【図１８】
2006217691.tif 000020
【図１９】
2006217691.tif 000021